(57)【要約】【課題】一方および他方の被固定物を固定するとともに、二つの被固定物の一方を他方から取り外す際のクイックファスナの紛失を防止することが可能なクイックファスナを提供する。【解決手段】クイックファスナ１は、一方および他方の被固定物を固定し、板体１０からなる。板体１０は、一方の被固定物を挟持する一対の第１の腕部１１と、他方の被固定物を挟持する一対の第２の腕部１２と、一対の第１の腕部１１と一対の第２の腕部１２とを互いに接続する接続部１７とを備えている。一対の第２の腕部１２は、互いに対向する腕部１２間の幅が広がった後に狭まるように一方端１２ａから他方端１２ｂに向かって延在することにより第１の挟持部１９を構成する。また一対の第２の腕部１２は、さらに上記幅が再び広がった後に再び狭まるように第１の挟持部１９から他方端１２ｂに向かって延在することにより第２の挟持部２０を構成する。【選択図】図１
2016023699.tif 000002
【特許請求の範囲】
【請求項１】
一方および他方の被固定物を固定し、板体からなるクイックファスナであって、
前記板体は、
互いに対向するように延在し、前記一方の被固定物を挟持する一対の第１の腕部と、
互いに対向するように延在し、前記他方の被固定物を挟持し、前記一対の第１の腕部との間に前記板体に形成されたスリット部を挟む一対の第２の腕部と、
前記第１および第２の腕部のそれぞれの一方端に接続され、前記一対の第１の腕部と前記一対の第２の腕部とを互いに接続する接続部とを備え、
前記スリット部は、前記接続部と反対側において開口するように前記第１および第２の腕部に沿って延在し、
前記一対の第１の腕部および前記一対の第２の腕部のいずれか一方の一対の腕部は、
互いに対向する腕部間の幅が広がった後に狭まるように前記一方端から他方端に向かって延在することにより、前記一方または他方の被固定物のいずれかを挟持する第１の挟持部を構成し、さらに、
前記幅が再び広がった後に再び狭まるように前記第１の挟持部から前記他方端に向かって延在することにより、前記一方または他方の被固定物のいずれかを挟持する第２の挟持部を構成する、クイックファスナ。
【請求項２】
前記いずれか一方の一対の腕部は、前記他方端側において互いに交差するように延在している、請求項１に記載のクイックファスナ。
【請求項３】
前記いずれか一方の一対の腕部は、前記他方端側の先端部を屈曲させた摘み部を有し、
前記摘み部を押圧することにより前記第２の挟持部における前記幅が広がるように構成されている、請求項２に記載のクイックファスナ。
【請求項４】
前記一方および他方の被固定物は、配管内を流れる流体の温度を検知するサーミスタと、前記サーミスタを前記配管に固定するための固定具である、請求項１〜３のいずれか１項に記載のクイックファスナ。
【請求項５】
前記サーミスタは円筒形状を有し、かつ前記円筒形状の径方向外側に広がった第１のフランジ部を有し、
前記固定具には前記サーミスタが配置される穴部が設けられ、かつ前記穴部の径方向外側に広がった第２のフランジ部が設けられ、
前記第１および第２のフランジ部が前記スリット部内に位置した状態において、前記サーミスタおよび前記固定具が互いに固定される、請求項４に記載のクイックファスナ。
【発明の詳細な説明】
【技術分野】
【０００１】
本発明はクイックファスナに関し、特に、一方および他方の被固定物を固定するクイックファスナに関する。
【背景技術】
【０００２】
従来、二つの被固定物を互いに固定する止め具であるクイックファスナが知られている。たとえば実公平０１−１５９９０号公報（特許文献１）には、この種のクイックファスナの例として二本のパイプを挟持して互いに接続するクイックファスナが記載されている。またこのクイックファスナは、たとえば給湯装置などの配管内における湯水の温度を検知するためのサーミスタを当該配管に固定する際の止め具としても用いられている。
【先行技術文献】
【特許文献】
【０００３】
【特許文献１】実公平０１−０１５９９０号公報
【発明の概要】
【発明が解決しようとする課題】
【０００４】
上記特許文献１に記載された従来のクイックファスナでは、二つの被固定物を挟持して互いに固定することができる。しかし、従来のクイックファスナでは、二つの被固定物の一方を他方から取り外すためには、二つの被固定物の双方からクイックファスナを取り外す必要がある。またクイックファスナは、一般にステンレスなどの弾性が高い材質からなっている。このため従来のクイックファスナでは、二つの被固定物の一方を他方から取り外す際に、クイックファスナの挟持部の弾性によってクイックファスナを紛失してしまうという問題がある。
【０００５】
本発明は上記課題に鑑みてなされたものであり、その目的は、一方および他方の被固定物を固定するとともに、二つの被固定物の一方を他方から取り外す際のクイックファスナの紛失を防止することが可能なクイックファスナを提供することである。
【課題を解決するための手段】
【０００６】
本発明に従ったクイックファスナは、一方および他方の被固定物を固定し、板体からなるクイックファスナである。上記板体は、互いに対向するように延在し、一方の被固定物を挟持する一対の第１の腕部と、互いに対向するように延在し、他方の被固定物を挟持し、一対の第１の腕部との間に板体に形成されたスリット部を挟む一対の第２の腕部と、第１および第２の腕部のそれぞれの一方端に接続され、一対の第１の腕部と一対の第２の腕部とを互いに接続する接続部とを備えている。スリット部は、接続部と反対側において開口するように第１および第２の腕部に沿って延在している。一対の第１の腕部および一対の第２の腕部のいずれか一方の一対の腕部は、互いに対向する腕部間の幅が広がった後に狭まるように一方端から他方端に向かって延在することにより、一方または他方の被固定物のいずれかを挟持する第１の挟持部を構成している。また上記いずれか一方の一対の腕部は、上記幅が再び広がった後に再び狭まるように第１の挟持部から他方端に向かって延在することにより、一方または他方の被固定物のいずれかを挟持する第２の挟持部をさらに構成している。
【０００７】
上記クイックファスナでは、一対の第１の腕部により一方の被固定物を挟持し、かつ一対の第２の腕部により他方の被固定物を挟持することにより、一方および他方の被固定物を固定することができる。また上記クイックファスナでは、一対の第１および第２の腕部のいずれか一方の一対の腕部が、第１および第２の挟持部を構成するように延在している。これにより、二つの被固定物を固定する際には第１の挟持部において他方の被固定物を挟持し、他方の被固定物から一方の被固定物を取り外す際には第２の挟持部において他方の被固定物を挟持することができる。このように上記クイックファスナは、二つの被固定物の一方を他方から取り外す際に、第２の挟持部において他方の被固定物に係止させることができる。このため、従来のような二つの被固定物の一方を他方から取り外す際のクイックファスナの紛失を防止することができる。したがって、本発明に従ったクイックファスナによれば、一方および他方の被固定物を固定するとともに、二つの被固定物の一方を他方から取り外す際のクイックファスナの紛失を防止することが可能なクイックファスナを提供することができる。
【０００８】
上記クイックファスナにおいて好ましくは、上記いずれか一方の一対の腕部は、他方端側において互いに交差するように延在している。
【０００９】
これにより、二つの被固定物の一方を他方から取り外す際に、第２の挟持部において他方の被固定物をより確実に係止させることができる。このため、二つの被固定物の一方を他方から取り外す際のクイックファスナの紛失をより確実に防止することができる。
【００１０】
上記クイックファスナにおいて好ましくは、上記いずれか一方の一対の腕部は、他方端側の先端部を屈曲させた摘み部を有している。また上記クイックファスナは好ましくは、摘み部を押圧することにより第２の挟持部における上記幅が広がるように構成されている。
【００１１】
これにより、被固定物へのクイックファスナの取り付けおよび被固定物からのクイックファスナの取り外しの際に、第２の挟持部における腕部間の幅を容易に調整することができる。
【００１２】
上記クイックファスナにおいて好ましくは、一方および他方の被固定物は、配管内を流れる流体の温度を検知するサーミスタと、サーミスタを配管に固定するための固定具である。このように上記クイックファスナは、サーミスタと固定具とを互いに固定するための止め具として好適に用いることができる。なお、サーミスタにより温度が検知される「流体」は、液体であってもよいし、気体であってもよい。
【００１３】
上記クイックファスナにおいて好ましくは、サーミスタは円筒形状を有し、かつ円筒形状の径方向外側に広がった第１のフランジ部を有している。固定具にはサーミスタが配置される穴部が設けられていてもよい。また固定具には、穴部の径方向外側に広がった第２のフランジ部が設けられていてもよい。第１および第２のフランジ部がスリット部内に位置した状態において、サーミスタおよび固定具が互いに固定されてもよい。これにより、上記クイックファスナを用いてサーミスタと固定具とをより確実に固定することができる。
【発明の効果】
【００１４】
以上の説明から明らかなように、本発明によれば、一方および他方の被固定物を固定するとともに、二つの被固定物の一方を他方から取り外す際のクイックファスナの紛失を防止することが可能なクイックファスナを提供することができる。
【図面の簡単な説明】
【００１５】
【図１】本発明の実施の形態に係るクイックファスナの構造を示す概略斜視図である。
【図２】本発明の実施の形態に係るクイックファスナの構造を示す概略平面図である。
【図３】本発明の実施の形態に係るクイックファスナによりサーミスタとセンサ固定金具とが固定された状態を示す概略斜視図である。
【図４】本発明の実施の形態に係るクイックファスナを用いてサーミスタとセンサ固定金具とを固定する方法を説明するための概略側面図である。
【図５】本発明の実施の形態に係るクイックファスナを用いてサーミスタとセンサ固定金具とを固定する方法を説明するための概略側面図である。
【図６】本発明の実施の形態に係るクイックファスナを用いてサーミスタとセンサ固定金具とを固定する方法を説明するための概略側面図である。
【図７】本発明の実施の形態に係るクイックファスナを用いてサーミスタとセンサ固定金具とを固定する方法を説明するための概略側面図である。
【図８】本発明の実施の形態に係るクイックファスナの変形例を説明するための概略平面図である。
【図９】本発明の実施の形態に係るクイックファスナの他の変形例を説明するための概略平面図である。
【図１０】比較例のクイックファスナの構造を示す概略斜視図である。
【図１１】比較例のクイックファスナを用いてサーミスタとセンサ固定金具とを固定する方法を説明するための概略側面図である。
【図１２】比較例のクイックファスナを用いてサーミスタとセンサ固定金具とを固定する方法を説明するための概略側面図である。
【発明を実施するための形態】
【００１６】
以下、本発明の実施の形態について図面に基づいて説明する。なお、以下の図面において同一または相当する部分には同一の参照番号を付し、その説明は繰返さない。
【００１７】
まず、本実施の形態に係るクイックファスナ１の構造について、図１〜図３を参照して説明する。図１は、本実施の形態に係るクイックファスナ１の構造を概略的に示す斜視図である。図２は、本実施の形態に係るクイックファスナ１の構造を概略的に示す平面図である。図３は、本実施の形態に係るクイックファスナ１によりサーミスタ２とセンサ固定金具３とが固定された状態を概略的に示す斜視図である。
【００１８】
図３を参照して、クイックファスナ１は、一方の被固定物としてのサーミスタ２および他方の被固定物としてのセンサ固定金具３（固定具）を互いに固定するためのものである。サーミスタ２は、配管４内を流れる流体の温度を検知するものである。より具体的には、サーミスタ２は、たとえば給湯装置の給湯・給水配管内を流れる湯水の温度を検知するものである。サーミスタ２は円筒形状を有しており、かつ円筒形状の径方向外側に広がったフランジ部２ａ（第１のフランジ部）を有している。
【００１９】
センサ固定金具３は、サーミスタ２を配管４に固定するためのものである。センサ固定金具３は、たとえば溶接により配管４に接合されている。センサ固定金具３には、サーミスタ２が配置される穴部３ｂが設けられ、かつ穴部３ｂの径方向外側に広がったフランジ部３ａ（第２のフランジ部）が設けられている。
【００２０】
図１および図２を参照して、クイックファスナ１は、たとえばステンレスなどの弾性が高い材質からなる板体１０からなっている。板体１０は、図１に示すように折り返し部１０ａにおいて折り返されるように略Ｕ字状に曲げられている。板体１０には、スリット部１８が形成されている。
【００２１】
板体１０は、一対の第１の腕部１１と、一対の第２の腕部１２と、接続部１７とを有している。一対の第１の腕部１１は、互いに対向するように延在しており、サーミスタ２を挟持する（図３）。第１の腕部１１は、一方端１１ａにおいて接続部１７に接続されている。一対の第２の腕部１２は、互いに対向するように延在しており、センサ固定金具３を挟持する（図３）。また一対の第２の腕部１２は、一対の第１の腕部１１との間にスリット部１８を挟むように設けられている。第２の腕部１２は、一方端１２ａにおいて接続部１７に接続されている。これにより、一対の第１の腕部１１と一対の第２の腕部１２とは、接続部１７により互いに接続されている。
【００２２】
スリット部１８は、第１の腕部１１および第２の腕部１２に沿って延在するように形成されている。またスリット部１８は、図１に示すように接続部１７と反対側において開口するように形成されている。
【００２３】
一対の第２の腕部１２は、互いに対向する腕部１２間の幅が広がった後に狭まるように、一方端１２ａから他方端１２ｂに向かって延在している。より具体的には、一対の第２の腕部１２は接続部１７から離れるように円弧状に延在し、これによりセンサ固定金具３を挟持するための第１の挟持部１９を構成している。
【００２４】
一対の第２の腕部１２は、互いに対向する腕部１２間の幅が再び広がった後に再び狭まるように第１の挟持部１９から他方端１２ｂに向かって延在している。より具体的には、一対の第２の腕部１２は第１の挟持部１９から離れるように円弧状に延在し、これによりセンサ固定金具３を挟持するための第２の挟持部２０を構成している。
【００２５】
一対の第２の腕部１２は、図１および図２に示すように他方端１２ｂ側において互いに交差するように延在している。また一対の第２の腕部１２は、他方端１２ｂ側の先端部を屈曲させた摘み部１６を有している。また図１中矢印に示すように、摘み部１６同士が互いに接近する方向に当該摘み部１６を押圧することにより、第２の挟持部２０における腕部１２間の幅を広げることができる。摘み部１６を押圧する前の状態では第２の挟持部２０における腕部１２間の幅は、被固定物であるセンサ固定金具３（図３）の径よりも小さくなっている。これに対して、上記のように摘み部１６により腕部１２間の幅をセンサ固定金具３の径よりも大きくなるように調整することができる。これにより、クイックファスナ１をセンサ固定金具３に取り付ける際に、センサ固定金具３を第２の挟持部２０に迎え入れるとともに第２の挟持部２０において挟持することができる。
【００２６】
次に、上記本実施の形態に係るクイックファスナ１を用いてサーミスタ２をセンサ固定金具３に固定する方法について、図４〜図７を主に参照しつつ説明する。図４を参照して、まずセンサ固定金具３が溶接により接合された配管４が準備される。次に、上記のように摘み部１６を押圧することにより、第２の挟持部２０における腕部１２間の幅がセンサ固定金具３の径よりも広がった状態とされる。そして、図５に示すようにセンサ固定金具３が第２の挟持部２０において挟持された状態となるように、クイックファスナ１がセンサ固定金具３に取り付けられる。
【００２７】
次に、図６を参照して、サーミスタ２がセンサ固定金具３の穴部に配置される。そして、図６中矢印に示す方向にクイックファスナ１をスライドさせる。これにより、図７に示すように、一対の第１の腕部１１によりサーミスタ２が挟持されるとともに、第１の挟持部１９においてセンサ固定金具３が挟持された状態となる。これにより、サーミスタ２およびセンサ固定金具３がクイックファスナ１により互いに固定される。ここで、サーミスタ２およびセンサ固定金具３は、図３に示すようにフランジ部２ａ，３ａがスリット部１８内に位置した状態において互いに固定される。このようにしてサーミスタ２がセンサ固定金具３に取り付けられる。
【００２８】
次に、サーミスタ２をセンサ固定金具３から取り外す際の手順について説明する。まず、図７中矢印に示す方向にクイックファスナ１をスライドさせる。これにより、図６に示すようにサーミスタ２が第１の腕部１１により挟持された状態から解放されるとともに、センサ固定金具３が第１の挟持部１９において挟持された状態から解放される。このとき、センサ固定金具３は第２の挟持部２０において挟持された状態となる。このように第２の挟持部２０においてクイックファスナ１がセンサ固定金具３に係止された状態で、サーミスタ２がセンサ固定金具３から取り外される（図５）
次に、上記本実施の形態に係るクイックファスナ１の作用効果について、比較例のクイックファスナを参照しつつ説明する。まず、比較例のクイックファスナの構造について説明する。図１０を参照して、比較例のクイックファスナ１００は、上記本実施の形態に係るクイックファスナ１と同様に、サーミスタを挟持するための一対の第１の腕部１１０と、センサ固定金具を挟持するための一対の第２の腕部１２０とを有している。ここで、比較例のクイックファスナ１００では、上記本実施の形態に係るクイックファスナ１とは異なり、一対の第２の腕部１２０が第１および第２の挟持部を構成するようには延在していない。
【００２９】
次に、比較例のクイックファスナ１００を用いてサーミスタ２００をセンサ固定金具３００に固定する方法について、図１１および図１２を参照して説明する。まず配管４００に溶接されたセンサ固定金具３００にサーミスタ２００がセットされる。次に、図１１中矢印に示すように、クイックファスナ１００がサーミスタ２００およびセンサ固定金具３００側に近づけられる。これにより、図１２に示すように、サーミスタ２００が一対の第１の腕部１１０により挟持されるとともに、センサ固定金具３００が一対の第２の腕部１２０により挟持された状態となる。このようにしてクイックファスナ１００がサーミスタ２００およびセンサ固定金具３００に取り付けられる。
【００３０】
一方、サーミスタ２００をセンサ固定金具３００から取り外す際には、サーミスタ２００およびセンサ固定金具３００の双方からクイックファスナ１００を取り外す必要がある。このため、クイックファスナ１００の弾性によってクイックファスナ１００を紛失してしまう場合がある。
【００３１】
これに対して、本実施の形態に係るクイックファスナ１では、一対の第１の腕部１１によりサーミスタ２を挟持し、かつ一対の第２の腕部１２によりセンサ固定金具３を挟持することにより、サーミスタ２およびセンサ固定金具３を固定することができる。また上記クイックファスナ１では、一対の第２の腕部１２が、第１および第２の挟持部１９，２０を構成するように延在している。これにより、サーミスタ２およびセンサ固定金具３を固定する際には第１の挟持部１９においてセンサ固定金具３を挟持し、センサ固定金具３からサーミスタ２を取り外す際には第２の挟持部２０においてセンサ固定金具３を挟持することができる。このように上記クイックファスナ１は、サーミスタ２をセンサ固定金具３から取り外す際に、第２の挟持部２０においてセンサ固定金具３に係止させることができる。このため、サーミスタ２をセンサ固定金具３から取り外す際のクイックファスナ１の紛失を防止することができる。したがって、本実施の形態に係るクイックファスナ１によれば、サーミスタ２およびセンサ固定金具３を固定するとともに、サーミスタ２をセンサ固定金具３から取り外す際のクイックファスナ１の紛失を防止することができる。
【００３２】
また上記クイックファスナ１においては、一対の第２の腕部１２は他方端１２ｂ側において互いに交差するように延在している。これにより、サーミスタ２をセンサ固定金具３から取り外す際に、第２の挟持部２０においてセンサ固定金具３をより確実に係止させることができる。このため、サーミスタ２をセンサ固定金具３から取り外す際のクイックファスナ１の紛失をより確実に防止することができる。
【００３３】
なお、本発明のクイックファスナは、上記のように一対の第２の腕部１２が他方端１２ｂ側において交差する場合には限定されない。たとえば、図８に示すように一対の第２の腕部１２が接続部１７と対向する位置において開口部２０ａを形成するように、他方端１２ｂ側において交差することなく延在していてもよい。また図９に示すように、開口部２０ａは接続部１７と対向する位置から外れた位置に形成されていてもよい。
【００３４】
また上記クイックファスナ１においては、一対の第２の腕部１２は他方端１２ｂ側の先端部を屈曲させた摘み部１６を有している。また上記クイックファスナ１は、摘み部１６を押圧することにより第２の挟持部２０における腕部１２間の幅が広がるように構成されている。これにより、センサ固定金具３へのクイックファスナ１の取り付けおよびセンサ固定金具３からのクイックファスナ１の取り外しの際に、第２の挟持部２０における腕部１２間の幅を容易に調整することができる。
【００３５】
また上記クイックファスナ１は、配管４内を流れる流体の温度を検知するサーミスタ２と、サーミスタ２を配管４に固定するためのセンサ固定金具３とを互いに固定するための止め具として好適に用いることができる。また上記クイックファスナ１においては、サーミスタ２のフランジ部２ａおよびセンサ固定金具３のフランジ部３ａをスリット部１８内に位置させることにより、サーミスタ２とセンサ固定金具３とをより確実に固定することができる。
【００３６】
また上記本実施の形態においては、一対の第２の腕部１２が第１および第２の挟持部１９，２０を構成するように延在する場合についてのみ説明したが、本発明のクイックファスナはこれに限定されない。すなわち、一対の第１の腕部１１および一対の第２の腕部１２のいずれか一方の一対の腕部、たとえば一対の第１の腕部１１が、第１および第２の挟持部を構成するように延在していてもよい。
【００３７】
また上記本実施の形態においては、一方および他方の被固定物の一例としてサーミスタ２およびセンサ固定金具３がクイックファスナ１により固定される場合について説明したが、本発明はこれに限定されない。すなわち本発明のクイックファスナは、一方および他方の被固定物を固定する用途において広く適用することが可能であり、それらの用途においても上記本実施の形態と同様に二つの被固定物の一方を他方から取り外す際のクイックファスナの紛失を防止することができる。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３９】
本発明のクイックファスナは、一方および他方の被固定物を固定するとともに、二つの被固定物の一方を他方から取り外す際のクイックファスナの紛失を防止することが要求されるクイックファスナにおいて、特に有利に適用され得る。
【符号の説明】
【００４０】
１  クイックファスナ、２  サーミスタ、２ａ，３ａ  フランジ部、３  センサ固定金具、３ｂ  穴部、４  配管、１０  板体、１０ａ  折り返し部、１１  第１の腕部、１１ａ，１２ａ  一方端、１２  第２の腕部、１２ｂ  他方端、１６  摘み部、１７  接続部、１８  スリット部、１９  第１の挟持部、２０  第２の挟持部、２０ａ  開口部。
【図１】
2016023699.tif 000003
【図２】
2016023699.tif 000004
【図３】
2016023699.tif 000005
【図４】
2016023699.tif 000006
【図５】
2016023699.tif 000007
【図６】
2016023699.tif 000008
【図７】
2016023699.tif 000009
【図８】
2016023699.tif 000010
【図９】
2016023699.tif 000011
【図１０】
2016023699.tif 000012
【図１１】
2016023699.tif 000013
【図１２】
2016023699.tif 000014